(57)【特許請求の範囲】
【請求項１】
バスを介して通信制御部を含む複数の装置を接続し、かつ少なくとも１つのシステム制御装置を備えた第１の交換機と、
バスを介して通信制御部を含む複数の装置を接続し、かつシステム制御装置を含まないその他の交換機とからなり、
上記第１の交換機とその他の交換機とをシステム制御用メッセージの送受信のために専用に設けられたＡＴＭスイッチおよび信号線を介して上記通信制御部の動作により接続し、上記システム制御装置によりその他の交換機内の複数の装置を制御する交換システムであって、
各バスには、該バスから受信する通信メッセージに送信順序番号と通信フレームのデータ誤り検査情報を付与してＡＴＭセル化し、通信先装置アドレスにより方路ＶＰを決定して、ＡＴＭスイッチを介して相手方バスへ送出する手段と、
送出した通信メッセージが相手方バスに正確に届かない場合には、ＡＴＭスイッチを介して相手方バスへ再送する手段と、
ＡＴＭセル化された受信フレームを受信して、元のバスフォーマットの受信フレームに組み立てる手段と、
受信した通信メッセージの送信順序番号、データ誤り検査情報を基に通信メッセージを検査する手段と、
上記検査する手段による検査結果として、通信メッセージに抜けがある、または通信メッセージに誤りがある場合には、通信元の通信制御部に再送を要求するとともに、通信メッセージに抜けがなく、かつ通信メッセージに誤りがない場合には、自バスに送出する手段とを備えた通信制御部を有し、
該通信制御部と上記ＡＴＭスイッチ間とを接続して構成したことを特徴とする交換システム。
【請求項２】
請求項１に記載の交換システムにおいて、
前記通信制御部は、接続されているバスの使用権を獲得する手段と、獲得したバスの使用権を解放する手段とを備えたことを特徴とする交換システム。
【請求項３】
請求項１に記載の交換システムにおいて、
前記複数の装置のうちの１つ以上は、その他の装置を制御するためのシステム制御装置であることを特徴とする交換システム。
【請求項４】
請求項１に記載の交換システムにおいて、
前記複数の装置のうちの１つ以上は、ＳＶＣ接続に必要な呼処理を行う装置であり、該呼処理にともない、その他の装置を制御するためのシステム制御装置であることを特徴とする交換システム。
【請求項５】
１つの交換システムのシステム制御装置と他の交換システムのバスに接続された装置とが、システム制御用メッセージの送受信のために専用に設けられたＡＴＭスイッチを介して通信する交換システムの制御方法であって、
該システム制御装置により、送信したい制御メッセージに通信先装置アドレスを付与し、バスの使用権を獲得してバス上に該制御メッセージを送出するステップと、該バスに接続された通信制御部により、当該バス以外のバスに接続されている装置のアドレスであることを認識して、上記システム制御装置に受信通知を報告し、送信順序番号とデータ誤り検査情報を付与してセル化し、上記ＡＴＭスイッチを介して他の交換システム内の通信制御部に該ＡＴＭセルを転送するステップと、
該他の交換システムの通信制御部により、受信したＡＴＭセルからＡＴＭセルを組み立て制御メッセージを作成し、送信順序番号とデータ誤り検査情報を検査し、制御メッセージに誤りがある場合には、上記バスに接続された通信制御部に対して再送要求を行い、誤りがない場合には、該他の交換システム内のバスの使用権を獲得し、該制御メッセージを該バス上に送出し、該バスに接続された装置から受信通知を受けたとき、該バスの使用権を解放するステップとを有することを特徴とする交換システムの制御方法。
【発明の詳細な説明】
【０００１】
【発明の属する技術分野】
本発明は、システム制御装置を有する交換機のシステム制御装置を用いて、システム制御装置を有さない交換機に装備される通話路系等の被制御装置を遠隔制御することが可能な交換システムおよびその制御方法に関する。
【０００２】
【従来の技術】
従来の交換システムでは、１つの交換システムにおいて、１つ以上のシステム制御装置が装備されている。システム制御装置は、スイッチおよび回線対応部の通話路装置等と相互接続され、複数の通話路装置等の被制御装置を制御するために使用されている。
なお、本願より先に出願人が提案したものとして、例えば特願平１０−２３２４４１号明細書および図面がある。これは、加入者線信号装置、中継線信号装置あるいは共通線信号装置に対応してそれぞれ装置制御用プロセッサが機能分散または負荷分散で割り当てられている場合、これらの複数の装置を複数のバスに接続し、各バスにＡＴＭインタフェース機能部を備えることにより、離れたバス上の任意の装置間の通信を同一バス上の装置と同一手順で行うことができるようにしている。
【０００３】
【発明が解決しようとする課題】
しかし、上記のいずれの従来例でも、交換システムを遠く離れた各地に複数配備する場合には、各交換システムにつきシステム制御装置を装備する必要があるという問題点がある。また、各交換システム毎にシステム制御を行うために、各交換システム毎にシステム制御プログラムの更新等の処理が必要となっていた。
【０００４】
そこで、本発明の目的は、このような従来の問題点を解決し、複数の交換システムのシステム制御装置を一元化することにより、装置コストの削減、およびシステム制御プログラムの更新等の作業回数を削減することが可能な交換システムおよびその制御方法を提供することにある。
【０００５】
【課題を解決するための手段】
上記目的を達成するため、本発明の交換システムでは、各交換機に含まれるバス上に確実なデータ転送を保証する通信制御部を接続し、通信制御部相互間をＡＴＭスイッチを介して接続する。これにより、複数の交換システム毎にシステム制御装置を設置する必要がなくなり、交換システムのコスト削減およびシステム制御プログラムの更新等の作業回数を削減することができる。
上記通信制御部は、バスからの制御メッセージに送信順序番号、データ誤り検査情報を付写しＡＴＭセル化して、通信先装置アドレスにより方路ＶＰ（Ｖｉｒｔｕａｌ  Ｐａｔｈ）を決定して送出する機能と、ＡＴＭスイッチからの制御メッセージをデセル化し、制御メッセージを確認して、メッセージ抜け、誤りがあった場合には再送要求し、メッセージ抜け、誤りがない場合には、元のバスフォーマットの制御メッセージに組立て直してバスに送出する。
本発明では、通信制御部を装備し、この通信制御部を介してＡＴＭスイッチにより接続することによって、物理的に離れたバス上にある任意の装置との通信を、同一バス上にある装置を同一手順で行い、システム制御装置から遠方にある異なる交換機のバス上の被制御装置の遠隔制御を行う。
具体的な例として、通信制御部に、ＡＡＬ５（ＩＴＵ−Ｔ  Ｉ．３５６．５）機能およびＳＳＣＯＰ（ＩＴＵ−Ｔ  Ｑ．２１１０）機能を装備することにより、通信制御部間、すなわちバス間の制御メッセージはそれらの距離に関係なく、確実に転送可能となる。
なお、『ＡＡＬ５機能』とは、データを送信する際に、検査情報を含む数バイトの情報が付与されるが、データを受信した側でその検査情報を見て、そのデータを正しく受信できたか否かを判断できる通信方式である。また、『ＳＳＣＯＰ機能』とは、例えばＴＣＰ／ＩＰの『ＴＣＰ』と類似した機能であり、送信フレームに送信順序番号を付与することで、相手にデータを確実に送り届けることが可能な通信方式である。
【０００６】
【発明の実施の形態】
以下、本発明の実施例を、図面により詳細に説明する。
図５は、本発明が適用される交換システムのブロック図である。
図５において、１４はシステム制御装置であり、装置内にプロセッサと主記憶部を有し、その主記憶部に格納されている制御プログラムを読み出し、呼制御処理、課金処理、およびバス上に接続されるスイッチ１５とその他の処理部１６の制御等を行う機能を有している。１５はスイッチであり、例えばＡＴＭスイッチング機能等を含んでいる。１６はその他の処理を行う装置であって、例えばＡＴＭ信号処理部、ＡＴＭマルチキャスト機能部、シェーピング機能部、ＯＡＭ機能部等を含んでいる。これらのシステム制御部１４、スイッチ１５およびその他の処理部１６は、バス１７で互いに接続されている。
【０００７】
図１は、本発明の一実施例を示す交換システムのブロック図である。
交換機１１は、システム制御装置１４、スイッチ１５、その他の処理部１６、通信制御部１８およびＡＴＭスイッチ１９を含んでいる。すなわち、交換機１１は、図５に示す一般の交換システムに通信制御部１８とＡＴＭスイッチ１９を追加した構成である。システム制御装置１４、スイッチ１５、その他の処理部１６および通信制御部１８は、バス１７で接続されている。また、通信制御部１８とＡＴＭスイッチ１９とは、信号線２１，３１を介して接続されている。
交換機１２は、スイッチ２５、その他の処理部２６および通信制御部２８を含んであり、スイッチ２５、その他の処理部２６および通信制御部２８は、バス２７で接続されている。また、通信制御部２８は、ＡＴＭスイッチ１９と信号線２２，３２を介して接続されている。
さらに、交換機１３は、スイッチ３５、その他の処理部３６および通信制御部３８を含んでおり、スイッチ３５、その他の処理部３６および通信制御部３８は、バス３７を介して接続されている。そして、通信制御部３８は、ＡＴＭスイッチ１９と信号線２３，３３を介して接続されている。
バス２７，３７に接続されたスイッチ２５，３５、その他の処理部２６，３６間と、それらを制御するシステム制御装置１４間の制御メッセージは、通信制御部１８，２８，３８およびＡＴＭスイッチ１９を介して送受される。
なお、バス１７に接続されるシステム制御装置１４は、ＳＶＣ接続に必要な呼処理機能を有しても良い。ＳＶＣ接続とは、シグナリングＶＣ接続であり、例えば電話をかけるときに電話番号をキーにして相手と接続することを意味する。相反する用語は、ＰＶＣ（専用線）接続である。
【０００８】
図２は、図１における通信制御部の詳細ブロック図である。
通信制御部４８は、図１における通信制御部１８，２８，３８と同一のものであって、その機能について以下に説明する。
通信制御部４８は、バスインタフェース部５１、送信順序番号付与部５２、データ誤り検査情報付与部５３、送信処理部５４、送信バッファ５５、ＡＴＭセル分割部５６、ＡＴＭセル組立部５７、受信フレーム正常確認部５８、再送要求部５９を含んでいる。
バスインタフェース部５１は、バス４７と接続されており、バス４７上の制御メッセージの通信先装置アドレスを監視して、自分の接続されているバス以外に接続されている装置の通信先装置アドレスの場合には、その制御メッセージを受信して、信号線６０を介して送信順序番号付与部５２に制御メッセージを転送する。送信順序番号付与部５２は、信号線６０を介して受信した制御メッセージの通信先装置アドレスからＡＴＭスイッチ１９を介して転送する通信制御部を判別し、通信制御部ごとに送信する制御メッセージに対してシーケンシャルに送信順序番号を付与して、信号線６１を介してデータ誤り検査情報付与部５３に制御メッセージを転送する。
【０００９】
データ誤り検査情報付与部５３は、信号線６１を介して受信した制御メッセージに対してＣＲＣ等のデータ誤り検査情報を付与し、信号線６２に制御メッセージを転送する。送信処理部５４では、信号線６２を介して受信した制御メッセージを信号線６３を介して送信バッファ５５に格納するとともに、信号線６５を介してＡＴＭセル分割部５６に転送する。ＡＴＭセル分割部５６は、信号線６５から受信した制御メッセージをＡＴＭセルに分解するとともに、制御メッセージ内の通信先装置アドレスから、該当する通信制御装置を一意にするＶＰＩ，ＶＣＩを含むヘッダを付与し、信号線３４を介してＡＴＭスイッチ１９に送信する。
【００１０】
ＡＴＭセル組立部５７は、信号線２４を介してＡＴＭスイッチ１９からＡＴＭセルを受信し、ＡＴＭセルを組み立てて通信フレームを作成し、信号線６６に送出する。受信フレーム正常確認部５８は、信号線６６から受信した通信フレーム内のデータ誤り検査情報を元に通信フレームに誤りがないか、および同通信フレーム内の送信順序番号に抜けがないことを確認する機能を有する。確認の結果、誤りがなく、また送信順序番号にも抜けがない場合には、通信フレームからデータ誤り検査情報と送信順序番号を削除する。受信フレーム正常確認部５８において、データ誤り検査情報と送信順序番号が削除された通信フレームが、送出元通信制御装置からの再送要求フレームの場合には、信号線６７を介して再送要求部５９に転送される。再送要求部５９は、信号線６８を介して送信処理部５４に再送すべき制御メッセージの送信順序番号を通知する。
送信処理部５４は、送信バッファ５５から信号線６４を介して当該送信順序番号の制御メッセージを取り出し、信号線６５に転送する。受信フレーム正常確認部５８において、データ誤り検査情報と送信順序番号が削除された通信フレームが制御メッセージの場合には、信号線６９に転送する。
【００１１】
受信フレーム正常確認部５８において、受信した制御メッセージに誤りまたは送信順序番号の抜けを検出した場合には、信号線６７を介して再送要求部５９に再送を希望する送信順序番号を転送する。再送要求部５９は、信号線６７からの再送する送信順序番号から再送要求フレームを作成し、信号線６８、送信処理部５４を介して信号線６５に送出する。
バスインタフェース部５１は、信号線６９を介して受信フレーム正常確認部５８から制御メッセージを受信するとともに、バス使用権を獲得し、当該制御メッセージをバス４７に送出する。バスインタフェース部５１は、バス４７に制御メッセージを送出し、制御メッセージを受信した装置からの受信通知を受理した後にバス使用権を解放する。
【００１２】
図３および図４は、それぞれ本発明における通信制御部の一例を示すブロック図である。
図３では、バスインタフェース部５１と信号線７４と７５を介して接続されるＳＳＣＯＰ処理部７１を備える。ＳＳＣＯＰ処理部７１では、ＳＳＣＯＰ（ＩＴＵ−Ｔ  Ｑ．２１１０）機能を有し、制御メッセージの転送に抜けがあった場合等に選択再送を行う。ＳＳＣＯＰ処理部７１と信号線７６，７７とを介して接続されるＡＡＬ５処理部７２は、ＡＡＬ５（ＩＴＵ−ＴＩ．３５６．５）機能を有し、ＣＲＣによる異常フレーム検出やセル化、デセル化を行う。
なお、ＳＳＣＯＰ機能は、広帯域ＩＳＤＮ用に開発されたもので、ＬＡＰＤのような確認型データ通信プロトコルと同等の通信品質を、低速度から１００Ｍビット／秒を超える高速度までの広範囲にわたり、１つのプロトコルで対応できるようにしている。また、ＡＡＬ５は、広帯域ＩＳＤＮのプロトコル階層モデルの第１，２層（ＡＴＭ  ａｄａｐｔａｔｉｏｎ  ｌａｙｅｒ）である。タイプ５は、コネクション型のデータ通信およびシグナリングに適用可能なプロトコルであって、タイプ３／４が備える機能の一部を削除することで、それに比べて伝送効率の向上と処理の簡略化を図っている。
【００１３】
次に、図４では、バスインタフェース部５１と信号線７４，７５を介して接続されたＴＣＰ／ＩＰ処理部７３を備えている。ＴＣＰ／ＩＰ処理部７３では、ＴＣＰ（ＩＥＴＦ  ＲＦＣ７９３）機能等を含み、制御メッセージの転送に抜けがあった場合などは再送を行う。ＴＣＰ／ＩＰ処理部７３と信号線７６，７７を介して接続されるＡＡＬ５処理部７２は、ＡＡＬ５機能を有し、ＣＲＣによる異常フレーム検出やセル化、デセル化を行う。
なお、ＴＣＰ／ＩＰ機能は、標準プロトコルとして一般的に使用されており、それぞれＯＳＩ（開放型システム間相互接続）の４層と３層にほぼ対応している。
【００１４】
図６は、本発明における制御メッセージの通信動作手順を示すシーケンスチャートであって、図１における制御装置１４からスイッチ２５への通信動作手順を示している。
制御装置１４は、送信したい制御メッセージに、通信先装置アドレスとしてスイッチ２５の装置アドレスを付与する（ステップ１０１）。次に、制御装置１４は、バス１７の使用権を獲得して（ステップ１０２）、バス１７上に制御メッセージを送出する。通信制御部１８は、バス１７上に送出されている制御メッセージの通信先アドレスを監視し、バス１７以外のバス２７に接続されている装置のアドレスであるため、制御メッセージを受信し（ステップ１０３）、通信制御部１８からシステム制御部１４に受信通知を報告する（ステップ１０４）。システム制御部１４は、受信通知を受けた後、バス１７の使用権を解放する（ステップ１０５）。
通信制御部１８は、バス１７から制御メッセージを受信した後、送信順序番号とデータ誤り検査情報を付与し（ステップ１０６）、通信制御部２８を一意にするＶＰＩ／ＶＣＩを含むヘッダを付与してセル化し（ステップ１０７）、ＡＴＭスイッチ１９を介して通信制御部２８に転送する（ステップ１０８）。
なお、ＶＰＩ／ＶＣＩ（Ｖｉｒｔｕａｌ  Ｐａｔｈ  Ｉｄｅｎｔｉｆｉｅｒ／Ｖｉｒｔｕａｌ  Ｃｈａｎｎｅｌ  Ｉｄｅｎｔｉｆｉｅｒ）とは、ＡＴＭという伝送方式において、送りたいデータを４８バイトのフレームに分割し、各フレームに付加する５バイトに含まれる宛先のことである。
【００１５】
通信制御部２８は、ＡＴＭスイッチ１９からＡＴＭセルを受信し、ＡＴＭセルを組み立て制御メッセージを作成し（ステップ１０９）、制御メッセージ内の送信順序番号とデータ誤り検査情報を検査する（ステップ１１０）。検査の結果、誤りがない場合には、バス２７の使用権を獲得し（ステップ１１１）、制御メッセージをバス２７上に送出する。スイッチ２５は、制御メッセージの通信先装置アドレスとスイッチ２５の装置アドレスが一致することにより、制御メッセージを受信し（ステップ１１２）、受信通知を通信制御装置２８に報告する（ステップ１１３）。通信制御装置２８は、スイッチ２５からの受信通知を受けた後、バス２７の使用権を解放する（ステップ１１４）。
通信制御装置２８において、制御メッセージ内の送信順序番号とデータ誤り検査情報を検査し（ステップ１１０）、送信順序番号の抜け、または誤りがあった場合には、通信制御装置１８に再送要求を行い（ステップ１１５）、通信制御装置１８から再度、制御メッセージをＡＴＭセルにて転送してもらう（ステップ１１６）。これにより、通信制御装置１８，２５間の正確な制御メッセージ転送を行うことができる。
【００１６】
【発明の効果】
以上説明したように、本発明によれば、システム制御装置に接続されたバスと、それから遠方にあるシステム制御装置の接続されないバスを、送信順序番号およびデータ誤り検査情報を付与することで、システム制御装置により当該システム制御装置とは遠方に設置された異なる交換機内のバス上の被制御装置の制御が可能になる。その結果、遠く離れた各地に複数の交換システムを配置する場合に、全ての交換システムにシステム制御装置を搭載する必要がなくなるので、交換システムのコスト削減およびシステム制御プログラムの更新等の作成の削減を図ることができる。
【図面の簡単な説明】
【図１】本発明の一実施例を示す交換システムの全体ブロック図である。
【図２】図１における通信制御部の動作を説明する機能ブロック図である。
【図３】図１における通信制御部の一例を示す詳細ブロック図である。
【図４】図１における通信制御部の他の一例を示す詳細ブロック図である。
【図５】本発明に適用されるバス接続の交換システムのブロック図である。
【図６】図１におけるシステム制御装置からスイッチに至る制御メッセージの通信動作手順を示すフロー図である。
【符号の説明】
１１，１２，１３…交換機、１４…システム制御装置、
１５，２５，３５…スイッチ、１６，２６，３６…その他の処理部、
１７，２７，３７，４７…バス、１８，２８，３８，４８…通信制御部、
１９…ＡＴＭスイッチ、５１…バスインタフェース、
５２…送信順序番号付与部、５３…データ誤り検査情報付与部、
５４…送信処理部、５５…送信バッファ、５６…ＡＴＭセル分割部、
５７…ＡＴＭセル組み立て部、５８…受信フレーム正常確認部、
５９…再送要求部、７１…ＳＳＣＯＰ処理部、７２…ＡＡＬ５処理部、
７３…ＴＣＰ／ＩＰ処理部、
２１〜２４，３１〜３４，６０〜６９，７４〜７７…信号線。
【図１】
0003735639.tif 000002
【図２】
0003735639.tif 000003
【図３】
0003735639.tif 000004
【図４】
0003735639.tif 000005
【図５】
0003735639.tif 000006
【図６】
0003735639.tif 000007